(57)【要約】【課題】疑似餌本体から突出する重りが障害物に当っても、自然な動きを維持することのできる疑似餌を提供すること【解決手段】疑似餌本体１２の下側に開口する凹部２０を形成し、この凹部から出没自在の重り２２を疑似餌本体１２に設けた疑似餌。【選択図】　　図２
2004097106.tif 000002
【特許請求の範囲】
【請求項１】
疑似餌本体の下側に開口する凹部を形成し、この凹部から出没自在の重りを疑似餌本体に設けたことを特徴とする疑似餌。
【請求項２】
前記凹部から突出した状態の重りを保持する保持手段を有することを特徴とする請求項１に記載の疑似餌。
【請求項３】
前記凹部から突出する方向に重りを付勢する付勢手段を有することを特徴とする請求項１又は２に記載の疑似餌。
【発明の詳細な説明】
【０００１】
【発明の属する技術分野】
本発明は、例えばイカ釣りや魚釣りに用いる疑似餌に関する。
【０００２】
【従来の技術】
従来の疑似餌には、岩等の障害物にフックが引っ掛かるのを防止するために、プラグボディの一側に開口させた凹溝内にフックを付勢して収納させ、魚の咬み付き圧力を受けてフックを外部に押し出すための作動体をこの凹溝の反対側から突出させたものがある（例えば特許文献１参照）。
また、流し釣り或いはいか釣り用の擬似鉤の動きに変化を生じさせるため、擬似本体の下面中央部に縦長溝を形成し、弾性溝形挟止片を介して支持される重鎮をこの縦長溝に沿って前後に移動可能としたものがある（例えば特許文献２）。
【０００３】
更に、このように疑似餌本体の下面部から重鎮を突出させ、泳動の際のバランスをとる疑似餌の場合には、疑似餌本体の前側から重鎮の下面にわたってステンレス鋼等の線状体を延設し、重鎮による根掛かりを防止したものもある（例えば特許文献３参照）。
【０００４】
【特許文献１】
特公平３−３２９７６号公報　（第１−２頁、第１−９図）
【０００５】
【特許文献２】
実公昭４６−１１８９１号公報　（第１頁、第１−５図）
【０００６】
【特許文献３】
実公平３−５０６８４号公報　（第２頁、第１−４図）
【０００７】
【発明が解決しようとする課題】
上述の特許文献１に記載の疑似餌の場合には、フックの反対側から突出する作動体を、プラグボディと共に小魚を擬似した流線形状に形成し、その全体の形状を、魚が飲み込み易い形状に形成する必要がある。このため、泳動させる際にバランスを取るための重りをプラグボディから突出させることはできない。
【０００８】
また、特許文献２に記載の擬似鉤の場合には、縦長溝から突出する重鎮が、この擬似鉤の動きを安定させると共に、この縦長溝内で前後移動した位置に応じて動きに変化を生じさせることが可能であるものの、この重鎮が石あるいは岩等の障害物に引っ掛かり、根掛かりが発生しやすい。
【０００９】
更に、特許文献３に記載の疑似餌は、ステンレス鋼等の線状体が重鎮による根掛かりを防止するとしても、この線状体が障害物に当接した場合には、その動きが止まり、障害物に当接した部分を支点として方向を変えた後に、再び動き始める。このため、疑似餌の動きが不自然となる。このような不自然な動きは、獲物に警戒心を与える。
【００１０】
本発明は、上述のような事情に基づいてなされたもので、疑似餌本体から突出する重りが障害物に当っても、自然な動きを維持することのできる疑似餌を提供することを目的とする。
【００１１】
【課題を解決するための手段】
上記課題を解決する本発明の疑似餌は、疑似餌本体の下側に開口する凹部を形成し、この凹部から出没自在の重りを疑似餌本体に設けたことを特徴とする。
【００１２】
【発明の実施の形態】
図１から図３は本発明の好ましい実施形態による疑似餌１０を示す。
本実施形態の疑似餌１０は、イカ釣り用の疑似餌として形成してあり、釣の対象とする獲物の興味を引く例えば魚あるい海老等に似せて様々な形態に形成される疑似餌本体１２を有する。この疑似餌本体１２は、例えばプラスチック材料あるいはバルサ等の木材で形成され、前端には、釣糸等の仕掛けに取付けるためのリング状の係止部１４を設け、後端には釣り針１６を設けてある。本実施形態の釣り針１６は、軸部周囲から複数の釣り針を突出させたイカ釣用のかけ針を形成してあるが、ねらう獲物に合わせて様々な構成の釣針を用いることができる。また、疑似餌本体１２の内部には、水中における姿勢等のバランス調整をするために空室あるいは重りを適宜位置に設けることもできる。符号１８は、疑似餌本体１２の前方側の側方に設けたひれ部あるいはひげ部を示す。
【００１３】
図２および図３に示すように、疑似餌本体１２には、その前方側でかつ水中で下方に向く下側に、前後方向に沿って開口する凹部２０を形成してあり、この凹部２０から出没自在の重り２２がこの疑似餌本体１２に設けられる。
本実施形態の重り２２は、疑似餌１０の重心位置の調整およびその姿勢を安定させるために、例えば鉄、タングステン、鉛等の金属により板状構造に形成してある。この重り２２は、疑似餌本体１２から突出する下側に、下側が凸となるように湾曲した側面形状を有する湾曲部を形成し、凹部２０内に収容される上側には、凹部２２を区画する前後の壁面に沿って案内可能な平坦面２４，２６を形成してある。また、前側の平坦面２４と湾曲部との間には、傾斜面２５を形成してあり、重り２２の凹部２０から突出した部分が全体的に後方に傾斜した後傾形状を形成する。
【００１４】
この重り２２の前後方向におけるほぼ中間部には、板厚（左右）方向に貫通する長孔２８が上下方向に延在する。そして、両端を疑似餌本体１２に固定された支持軸３０がこの長孔２８と凹部２０とを貫通する。この支持軸３０は、凹部２０から突出した状態の重り２２を疑似餌本体１２から脱落しないように支持する支持部材として作用し、重り２２を凹部２０内で支持し、図３の（Ａ）および図２の実線で示す突出位置と、図３の（Ｂ）および図２の鎖線で示す没入位置との間で、重り２２を疑似餌本体１２に上下方向に移動自在及び凹部２０から出没自在に支える。なお、没入位置は、後述するように重り２２が障害物に当ったときに、この障害物を避けることができればよく、重り２２の一部が凹部２０から突出した状態であってもよい。
【００１５】
更に、重り２２の頂部と凹部２０の底部とには、それぞれ対向する側に同じ磁極を配置した磁石３２，３４が、重り２２を突出方向に付勢する付勢手段として取付けてある。重り２２が障害物等に接して凹部２０内に押し込まれると、その重さに加えてこれらの磁石の反発力が作用し、直ちに突出位置に付勢され、支持軸３０に長孔２８の上端を係止した状態で支持される。
【００１６】
この疑似餌１０は、水中に投入された状態では、図１に示すようにほぼ水平あるいは前端を僅かに下方に傾斜させた姿勢を保ったまま、イカ釣りに適するように所定位置に留まり、あるいは、沈下する。重り２２は、自重で凹部２２から下方に突出し、支持軸３０により長孔２８の上端を係止される。重り２２の平坦面２４，２６がそれぞれ凹部２０の前後の壁面に対向して配置されるなど、重り２２の外周面が凹部２２の内側の壁面に案内されて凹部２２に対し出没するようになっており、傾斜面２５およびこれに隣接する湾曲部が凹部２０から突出する。
【００１７】
例えば係止部１４に釣糸を取付けて疑似餌１０を前方に引張ると、重り２２を下方に向けた凹部２０から突出した状態のまま水中を泳動する。そして、重り２２が石あるいは岩等の障害物に衝突すると、重り２２に上向きの力が作用する。傾斜面２５およびこれに続く湾曲部で、より重りが上向きに動きやすく、凹部２０内へ没しやすい。重り２２は、前後の平坦面２４，２６および長孔２８を、凹部２０の前後の壁面および支持軸３０で案内され、凹部２０内に没入する。これにより、重り２２と障害物との係合が解除され、疑似餌１０はその動きをすぐに再開し、自然な泳動を続ける。
【００１８】
重り２２が凹部２０内に収容あるいは没入する程度は、障害物の大きさ、当接する位置あるいは障害物から受ける力の大きさに対応しており、重り２２が障害物と接触して移動したときに、疑似餌１０に不自然な動きを与えることはない。また、重り２２が凹部２０内に大きく引込まれた場合は、重りの頂部と凹部２０の底部とに設けられた磁石３２，３４の反発力により、重り２２が下方に付勢される。これにより、重り２２が凹部２０内にほぼ完全に没入した場合でも、確実かつ迅速に復帰させることができる。尚、重り２２が凹部２０に没入した状態のときは疑似餌１０がバランスを崩すため、より障害物から解放されやすい。
【００１９】
障害物から解放された重り２２は、その自重により、再度凹部２０から突出し、疑似餌１０の姿勢あるいは泳動を安定させる。このような、疑似餌１０の自然な動きは獲物に警戒感を与えず、したがって、例えば岩場のような障害物の多い釣り場においても、釣果を向上させることができる。
【００２０】
図４および図５は、変形例による疑似餌１０を示す。なお、以下に説明する種々の変形例および実施形態については、基本的には上述の実施形態と同様であるため、同様な部位には同様な符号を付し、その詳細な説明を省略する。
【００２１】
この変形例では、重り２２と磁石３２，３４と支持軸３０とを一体化したバランスユニット３６を備える。このバランスユニット３６は、疑似餌本体１２の凹部２０に密に嵌合するケース体３８を有し、このケース体に支持軸３０の両端が固定される。重り２２は、長孔２８に支持軸３０を貫通させてこのケース体３８の内部空間４０に取付けられ、下側の開口を介して自在に出没することができる。また、重り２２の頂部に位置する磁石３２と対向配置の磁石３４が、ケース体３８の底部に取付けられる。
【００２２】
重り２２をこのように組込んだ形成されたバランスユニット３６は、疑似餌本体１２の凹部２０内に挿入し、疑似餌本体１２に接着剤等でケース体３８を止着する。ケース体３８の下端が疑似餌本体１２から突出しないように止着することが好ましい。重り２２は図４に実線で示す突出位置と、鎖線で示す没入位置との間を自在に移動することができ、上述の実施形態と同様に作動する。
【００２３】
図６および図７は、第２の実施形態による疑似餌１０を示す。
この実施形態では、重り２２が突出状態を維持するように保持する保持手段と、凹部２０内に没しようとする重り２２を突出状態となるように押圧する付勢手段とを兼用する支持部材４２により、疑似餌本体１２から脱落しないように凹部２０内に取付けられる。この支持部材４２は、変形しても負荷がなくなれば元の形状に戻ることのできるゴム又は合成樹脂製のブロックあるいは板状弾性材で形成するのが好ましく、このような弾性を有するものであれば独立又は連続気泡発泡体で形成してもよい。
【００２４】
本実施形態の支持部材４２は、その上下の端部を凹部２０の底部と重り２２の頂部とに例えば接着剤等で固着することにより、簡単に取付けることができる。図６の実線および図７の（Ａ）で示す通常位置あるいは突出位置では、支持部材４２が伸張しており、障害物に衝突したときに、僅かな力が作用した状態でも重り２２を直ちに凹部２０内に移動させることができる。また、図６の鎖線および図７の（Ｂ）に示す没入位置まで移動すると、重り２２に大きな付勢力を作用させ、凹部２０内に大きく引込まれた重り２２を直ちに復帰させる。
【００２５】
この実施形態の疑似餌によると、その部品点数の少ない極めて簡単な構造でありながら、障害物に引っ掛かっても自然な動きを維持することのできる疑似餌１０を低コストで製造することができる。
【００２６】
なお、支持部材４２は、上述のようなブロックあるいは板状の弾性材に代え、図８および図９に示すようなばね材で形成し、重り２０の保持手段と付勢手段とを兼用させることもできる。
図８は、金属あるいは合成樹脂等の適宜の材料でコイル状に形成した２つの支持部材４２ａにより、重り２２を疑似餌本体１２の凹部２０内に取付けた疑似餌１０の前部を示す。２つの支持部材４２ａは、前後方向に離隔し、それぞれの端部を重り２２の頂部と凹部２０の底部とに固定され、重り２２が障害物に衝突したときに、実線で示す突出位置から鎖線に示す没入位置に移動することができる。このようなコイル状の支持部材４２ａは、２本に限るものではなく、１本だけ設けることも可能であり、更に、３本以上設けることも可能である。符合４４は、支持部材４２ａの固定に用いる取付け孔を示す。
【００２７】
また、図９は、Ｚ字状の板状ばねで形成した支持部材４２ｂを示す。
この支持部材４２ｂのばね材も金属あるいは合成樹脂で形成することができ、重り２２および疑似餌本体１２に対する固定は、接着剤を用いて行うことが可能である。このため、図８に示すコイル状支持部材４２ａのような取付け孔４４を設ける必要はない。なお、支持部材４２ｂも１つに限る必要はなく、複数設けてもよい。
【００２８】
図１０は、第３の実施形態による疑似餌１０を示す。
この実施形態の疑似餌１０は、略三角形状あるいは扇形状に形成された重り２２ａを、疑似餌本体１２の凹部２０から出没自在に配置したものである。この重り２２ａは、支持部材である支軸４６を介して前端を疑似餌本体１２に枢着され、実線で示す突出位置と鎖線で示す没入位置との間を移動することができる。この没入位置は、重り２２ａを自重で落下させるために、重り２２ａの重心が支軸４６よりも後方となるように位置させることが好ましい。また、この重り２２ａを突出位置に保持するため、重り２２ａの支持されない頂部（後端）の近部で突部２３が後方に突出し、凹部２０の下側の開口部の近部では、この突部２３を介して重り２２ａを保持する保持手段として係止部２１が凹部２０の後側の壁面からこの凹部２０内に突出し、重り２２の回動のストッパとなっている。
【００２９】
また、さらに、突部２３と係止部２１とに、互いに吸着する方向に磁極を配置した磁石４８，５０を保持手段として取付けてある。これらの磁石４８，５０の吸着力により、泳動中に水の抵抗を受けても、重り２２ａががたつくことなく、安定した泳動を確保することができる。なお、疑似餌本体１２をバルサ等の強度の低い材料で形成する場合には、十分な強度を持つ別部材で係止部２１を形成してもよい。また、重り２２ａを磁性材料で形成する場合には、突部２３の磁石５０を省略することもできる。
【００３０】
この第２の実施形態による疑似餌１０は、重り２２ａが石あるいは岩等の障害物に引っ掛かり、磁石４８，５０の吸着力よりも強い力で押圧されると、支軸４６を中心として回動し、凹部２０内に没入する。これにより、疑似餌１０は障害物をかわし、停止しないか又はすぐに自然の動きを継続する。そして、重り２２ａが障害物をかわした後、支軸４６を中心として回動しながら自重で落下すると、凹部２０から突出した状態で、磁石４８，５０により、再び疑似餌本体１２に保持される。このため、重り２２ａが直ちに突出状態に戻り、安定した泳動を行う。
【００３１】
なお、本実施形態では、図１０に示すように、疑似餌本体１２の凹部２０が底部を湾曲面で形成してあるが、重り２２ａの没入方向への回動を規制し、重り２２ａの重心を支軸４６よりも後方に位置させることができるものであれば、このように湾曲面に形成することなく、図２に示すような平坦面で形成することも可能である。更に、重り２２ａの没入方向への回動を規制するために、例えば底部に突起を設ける等の別個の手段を採用することも可能である。
【００３２】
図１１は、磁石４８，５０に代え、疑似餌本体１２の係止部２１に設けた穴部５２と、重り２２ａの突部２３に設けた突起５４とを噛合い係合させることにより、凹部２０から突出した状態の重り２２ａを保持する。これらの穴部５２と突起５４とは、キャスティングあるいは通常の泳動時に容易に係合が解除されない程度の嵌合力を維持するように形成してある。
【００３３】
この疑似餌１０は、予め重り２２ａを引張り、図１１の実線で示す突出位置に、配置しておく。これにより、水中で安定した泳動を行う。そして、重り２２ａが障害物に引っ掛かると、穴部５２と突起５４との係合が解除され、重り２２ａが凹部２０内に没入する。重り２２ａは、障害物をかわした後、自重で落下し、突部２３が係止部２１で係止される。これにより、疑似餌１０の自然の安定した泳動を確保する。この時、穴部５２に突起５４が係合するようにしてもよい。
【００３４】
以上、種々の実施形態および変形例について説明してきたが、本発明の疑似餌はいずれか１つの実施形態あるいは変形例に限定されるものではなく、それぞれ適宜に組合せ可能なことは明らかである。例えば、図１０および図１１に示す重り２２ａにも、図６から図９に示すような支持部材４２，４２ａ，４２ｂを組合せることも可能である。
【００３５】
【発明の効果】
本発明の疑似餌によれば、疑似餌本体から突出する重りが障害物に当っても、自然な動きを維持することができ、釣果を向上させることができる。
【図面の簡単な説明】
【図１】本発明の好ましい実施形態による疑似餌の全体構造を示す概略図。
【図２】図１の疑似餌の内部構造を拡大して示す部分断面図。
【図３】図２のＩＩＩ−ＩＩＩ線に沿う断面図を示し、（Ａ）は重りを突出位置に配置した説明図、（Ｂ）は没入位置に配置した説明図。
【図４】変形例による疑似餌の図２と同様な断面図。
【図５】図４の疑似餌を説明する分解図。
【図６】第２の実施形態による疑似餌の図２と同様な部分断面図。
【図７】図７のＶＩＩ−ＶＩＩ線に沿う断面図を示し、（Ａ）は重りを突出位置に配置した説明図、（Ｂ）は没入位置に配置した説明図。
【図８】図６の疑似餌の変形例を示す部分断面図。
【図９】図６の疑似餌の他の変形例を示す部分断面図。
【図１０】第３の実施形態による疑似餌の部分断面図。
【図１１】図１０の疑似餌の変形例を示す部分断面図。
【符号の説明】
１０…疑似餌、１２…疑似餌本体、２０…凹部、２２…重り。
【図１】
2004097106.tif 000003
【図２】
2004097106.tif 000004
【図３】
2004097106.tif 000005
【図４】
2004097106.tif 000006
【図５】
2004097106.tif 000007
【図６】
2004097106.tif 000008
【図７】
2004097106.tif 000009
【図８】
2004097106.tif 000010
【図９】
2004097106.tif 000011
【図１０】
2004097106.tif 000012
【図１１】
2004097106.tif 000013